(57)【要約】【課題】大量の剥離作業を連続して容易に行える剥離装置の提供。【解決手段】粘着テープ２を供給する供給リール２１と、供給リール２１から引き出された粘着テープ２を巻き取る巻取リール３１とを軸支し、粘着テープ２の粘着面２ａにスクラッチカード３を案内する案内路２０を有するケース本体部１１と、スクラッチカード３を案内路２０に沿って送り出しつつ、スクラッチカードを粘着テープ２の粘着面２ａに押圧してスクラッチ層を剥離するスライダ６１とを備える。【選択図】　　　図１
2004059182.tif 000002
【特許請求の範囲】
【請求項１】
粘着テープを供給する供給手段と、
前記供給手段から引き出された粘着テープを巻き取る巻取手段と、
前記粘着テープの粘着面に、印刷層を隠蔽し、かつ除去可能であるスクラッチ層が形成された基材を案内する案内路を有するケース本体部と、
前記基材を前記案内路に沿って送り出しつつ、前記基材を前記粘着テープの粘着面に押圧して前記スクラッチ層を前記基材から剥離する押圧手段とを具備することを特徴とする剥離装置。
【請求項２】
前記ケース本体部は、前記案内路の上流側に前記スクラッチ層の剥離前の複数の基材をストックするストック手段を備え、前記押圧手段は、当該ストック手段にストックされた基材を１枚ずつ送り出すことを特徴とする請求項１に記載の剥離装置。
【請求項３】
前記押圧手段は、前記ケース本体部に設けられた案内溝に沿って往復動作されることを特徴とする請求項１又は２に記載の剥離装置。
【請求項４】
前記案内溝は往路溝と復路溝が連続して形成され、当該往路溝は前記押圧手段が前記基材を前記粘着テープに押し付けながら進行するように形成され、当該復路溝は前記押圧手段が当該押圧手段による前記基材に対する押圧を解いて進行方向とは逆行するように形成されていることを特徴とする請求項１乃至３のいずれか１項に記載の剥離装置。
【発明の詳細な説明】
【０００１】
【発明の属する技術分野】
本発明は、例えば、スクラッチ層が形成されたカード基材を粘着テープに押し付けることによりカード基材からスクラッチ層を剥離する剥離装置に関する。
【０００２】
【従来の技術】
従来から、紙等のカード基材上にスクラッチ層を印刷し、或いはカード基材上にシール構造のスクラッチシールを貼り着けることにより、紙等のカード基材上に印刷された文字や模様を隠蔽すると共に、この隠蔽部分（スクラッチ層）をコインなどを用いて削り取ることで中に書かれている当該文字や模様を見ることができるように構成されたスクラッチカードが知られている。
【０００３】
また、スクラッチカードの販売又は配布に携わる者は、カード購入者にその場でスクラッチ層を削り取るように要求されることがあり、その都度コインなどを用いて大量のスクラッチ層の剥離作業を行っている。
【０００４】
また、スクラッチ層の剥離作業を自動化するために、大量のスクラッチ層を自動で剥離する大型の装置などが提案されている（特開平９−９５０９６号公報参照）。
【０００５】
【発明が解決しようとする課題】
上記従来の場合には、大量の剥離作業に多大な時間と労力を要するという不都合がある。
【０００６】
また、上記公報記載の装置では、一度に大量のスクラッチカードを処理できるという利点がある反面、大型であるため移動や持ち運びに適さず小規模の店舗に設置するには不向きであり、また、一度に大量のスクラッチカードを処理せず、カード購入者によりランダムに１枚ごとに処理する場合には不向きである。
【０００７】
本発明は、上記課題に鑑みてなされ、その目的は、大量の剥離作業を連続して容易に行え、持ち運びにも便利な剥離装置を提供することである。
【０００８】
【課題を解決するための手段】
上述の課題を解決し、目的を達成するために、本発明の剥離装置は、粘着テープを供給する供給手段と、前記供給手段から引き出された粘着テープを巻き取る巻取手段と、前記粘着テープの粘着面に、印刷層を隠蔽し、かつ除去可能であるスクラッチ層が形成された基材を案内する案内路を有するケース本体部と、前記基材を前記案内路に沿って送り出しつつ、前記基材を前記粘着テープの粘着面に押圧して前記スクラッチ層を前記基材から剥離する押圧手段とを具備する。
【０００９】
また、好ましくは、前記ケース本体部は、前記案内路の上流側に前記スクラッチ層の剥離前の複数の基材をストックするストック手段を備え、前記押圧手段は、当該ストック手段にストックされた基材を１枚ずつ送り出す。
【００１０】
また、好ましくは、前記押圧手段は、前記ケース本体部に設けられた案内溝に沿って往復動作される。
【００１１】
また、好ましくは、前記案内溝は往路溝と復路溝が連続して形成され、当該往路溝は前記押圧手段が前記基材を前記粘着テープに押し付けながら進行するように形成され、当該復路溝は前記押圧手段が当該押圧手段による前記基材に対する押圧を解いて進行方向とは逆行するように形成されている。
【００１２】
【発明の実施の形態】
以下に、本発明の実施の形態について、添付図面を参照して詳細に説明する。
【００１３】
尚、以下に説明する実施の形態は、本発明の実現手段としての一例であり、本発明は、その趣旨を逸脱しない範囲で下記実施形態を修正又は変形したものに適用可能である。
【００１４】
図１は本発明に係る実施形態の剥離装置の外観斜視図、図２は図１の正面図、図３は図１の側面図、図４は図１の上面図である。
【００１５】
図１乃至図４に示すように、本実施形態の剥離装置１は、直方体状の外形を持つケース本体部１１と、このケース本体部１１に係合して長手方向にスライド可能に設けられた逆コの字状のスライダ６１とを備え、これらケース本体部１１とスライダ６１とでハウジング１０を構成する。
【００１６】
上記ケース本体部１１は金属薄板などを材料とした曲げ成形や絞り成形、或いは樹脂成形などにより一体的に構成されている。また、上記スライダ６１は樹脂成形などにより一体的に構成されている。
【００１７】
上記ケース本体部１１は、底面部１２と、この底面部１２の幅方向Ｗの両端部から略垂直上方（高さ方向Ｈ）に延びる互いに対向する左右の側面部１３と、これら側面部１３の各々の上端部１３ａから略直角に内方（幅方向Ｗ）に延びる左右の端面部１４と、これら端面部１４の側縁部１４ａから略垂直下方（高さ方向Ｈ）に延びる互いに対向する左右の側壁部１５とを備える。
【００１８】
また、上記ケース本体部１１には、その長手方向Ｌの両端部に前端開口部１６と後端開口部１７が形成され、その高さ方向Ｈの上部に上端開口部１８が形成されている。
【００１９】
上端開口部１８は左右の側壁部１５により画定され、その長手方向Ｌの中央付近から前端開口部１６側が案内板１９により閉塞されている。そして、この案内板１９と左右の側壁部１５とで上記ケース本体部１１の上部に長手方向Ｌに延びる凹状の案内路２０を形成する。
【００２０】
上記案内板１９の前端部及び後端部には、切り欠き部１９ａ，１９ｂが夫々形成されている。
【００２１】
また、ケース本体部１１の長手方向Ｌの中央付近から後端開口部１７側の上端開口部１８には、１５〜２０枚程度のスクラッチカード３が重ねて収容されるストッカ４４が設けられている。
【００２２】
ストッカ４４は、複数枚のスクラッチカード３を重ね合わせて収容可能なように上方が開口したケース部４５と、このケース部４５をスクラッチカード３が収容された状態で上方に押し上げるように付勢する圧縮コイルばね４６とを備える。
【００２３】
上記圧縮コイルばね４６は、上記ケース部４５をケース本体部１１に支持しつつ上方に付勢し、後述するスライダ６１に設けられた押圧ローラ６８の外周面にスクラッチカード３を押し付ける機能を持っている。
【００２４】
また、上記ケース本体部１１における上記案内板１９の下部には、中空ロール状の未使用の粘着テープ２が装着される円筒状の供給リール２１と、この未使用の粘着テープ２から引き出され、スクラッチ層を剥離した使用済みの粘着テープ２を巻き取る円筒状の巻取リール３１とが設けられている。
【００２５】
また、粘着テープ２は、その粘着面２ａが供給リール２１の外周側に露出し、非粘着面が供給リール２１の外周面側に向くように、供給リール２１に装着されると共に巻取リール３１にて巻き取られる。
【００２６】
上記供給リール２１は、中空ロール状の粘着テープ２の中空部の直径よりわずかに大きな直径を有し、中空ロール状の粘着テープ２が供給リール２１から容易に抜け落ちたり、中空部に対して空回りしないように構成されている。
【００２７】
上記供給リール２１と上記巻取リール３１とは、ケース本体部１１の左右の側面部１３に回転可能に軸支されている。未使用の粘着テープ２は、その粘着面２ａが案内板１９上で外方に露出する（上を向いた状態）ように供給リール２１から案内板１９の後端部の切り欠き１９ｂを介して当該案内板１９上に送り出された後、案内板１９の前端部の切り欠き１９ａを介して巻取リール３１に巻き取られる。
【００２８】
供給リール２１は、供給リール軸２２によりケース本体部１１の左右の側面部１３に軸支され、その供給リール軸２２の両端部付近には供給リール駆動ギア２３が軸着されている。また、各供給リール駆動ギア２３の供給リール２１側の端面にはつば部材２４が取り付けられ、供給リール軸２２上での供給リール駆動ギア２３の供給リール２１側へのずれを規制している。
【００２９】
また、巻取リール３１は、巻取リール軸３２によりケース本体部１１の左右の側面部１３に軸支され、その巻取リール軸３２の両端部付近には巻取リール駆動ギア３３が軸着されている。また、巻取リール駆動ギア３３の巻取リール３１側の端面にはつば部材２５が取り付けられ、巻取リール軸３２上での巻取リール駆動ギア３３の巻取リール３１側へのずれを規制している。
【００３０】
上記供給リール駆動ギア２３と巻取リール駆動ギア３３とは、ケース本体部１１の左右の側面部１３に回転可能に軸支されたカウンタギア４１に噛み合い、このカウンタギア４１は、その上方のケース本体部１１の側面部１３に回転可能に軸支された駆動ギア４２に噛み合っている。
【００３１】
また、駆動ギア４２の外周面の一部は、当該端面部１４に形成された孔部１４ａから上方に露出するように設けられている。
【００３２】
上記のように各ギアが噛み合う構成にすることで、駆動ギア４２の回転によりカウンタギア４１が回転され、このカウンタギア４１の回転により供給リール駆動ギア２３と巻取リール駆動ギア３３とが互いに同じ方向に回転することになるので、供給リール２１の回転による粘着テープ２の送り出しと、巻取リール３１の回転による粘着テープ２ｂの巻き取りとが同期したタイミングで行われる。
【００３３】
上記駆動ギア４２は、上記スライダ６１に形成されたラックギア６６により回転駆動される。即ち、このラックギア６６は、スライダ６１における上記ケース本体部１１の左右の端面部１４に対向するように形成されており、スライダ６１をケース本体部１１の後端から前端に向けて長手方向Ｌにスライドさせることによって、ケース本体部１１の左右の端面部１４から露出する駆動ギア４２の外周面の一部が上記ラックギア６６に噛み合って回転される。
【００３４】
上記スライダ６１は、ケース本体部１１の長手方向Ｌの長さの２／３程度の長さを持つスライダ本体６２と、このスライダ本体６２の上面部６３から上方に延びる曲面状の把持部６４と、ケース本体部１１の左右の側面部１３に沿って下方に延びる左右のスカート部６５とを備える。
【００３５】
また、上記のように、スライダ本体６２におけるケース本体部１１の左右の端面部１４に対向する部分には、スライダ本体６２の後端部から前端部に向けてラックギア６６が長手方向に連続して形成されている。
【００３６】
また、上記把持部６４は、スライダ本体６２における長手方向の中央付近に形成されている。
【００３７】
また、ケース本体部１１の左右の側面部１３には、長手方向Ｌに連続する長円状の案内溝４３が形成されており、上記スカート部６５におけるケース本体部１１の左右の側面部１３に対向する内側面に設けられた突起部６７がこの案内溝４３にスライド可能に係合するように構成されている。
【００３８】
案内溝４３は往路溝４３ａとこの往路溝４３ａより上方に形成された復路溝４３ｂとを有し、スライダ６１は、この案内溝４３に沿ってケース本体部１１に対して長手方向Ｌに往復動作される。
【００３９】
また、スライダ本体６２内部には押圧ローラ６８がローラ軸６８ａにより取り付けられ、この押圧ローラ６８の外周面は、ストッカ４４内のスクラッチカード３の裏面（スクラッチ層が形成されていない面）に当接するように対向して設けられている。
【００４０】
即ち、案内溝４３の往路溝４３ａは上記スライダ６１の押圧ローラ６８がスクラッチカード３を粘着テープ２の粘着面２ａに押し付けながらケース本体部１１上を案内路２０に沿って進行するように形成され、当該復路溝４３ｂは上記スライダ６１の押圧ローラ６８がスクラッチカード３から離間して（スクラッチカード３に対する押圧を解いて）進行方向とは逆行するように形成されている。
【００４１】
尚、ケース本体部１１の後端部１１ａは、案内溝４３の往路４３ａと復路４３ｂとが連結されるＵ字状に曲折した溝部分において、当該往路４３ａと復路４３ｂとが開放されるように分離可能となっており、この後端部１１ａをケース本体部１１から分離することにより、スライダ６１がケース本体部１１から取り外し可能となっている。尚、この後端部１１ａとケース本体部１１とは取り付けブラケット４８などで固定される。
【００４２】
また、スライダ６１をケース本体部１１から取り外すことで、ストッカ４４内に新たなスクラッチカード３を収容することができる。
【００４３】
また、供給リール軸２１及び巻取リール軸３１は、ビスなどの固定具４７によりケース本体部１１の側面部１３に対して脱落しないように取り付けられており、この固定具４７による固定を解くことにより供給リール２１及び巻取リール軸３１をケース本体部１１から取り外すことができる。このため、供給リール２１に新たな粘着テープ２を取り付けたり、巻取リール３１から使用済みの粘着テープ２を取り除くことができる。
【００４４】
また、ケース本体部１１やスライダ６１を透明なプラスチック材料などで構成すれば、装置外部から粘着テープ２、供給リール２１や巻取リール３１などが透視できるようになり、粘着テープ２の交換時期などが容易に判別できるようになる。
【００４５】
また、ケース本体部１１とスライダ６１からなるハウジング１０は、片手で取り扱い可能なサイズ及び重量に設定されている。
【００４６】
また、案内板１９は、押圧ローラ６８のスクラッチカード面への押圧力に耐えるのに十分な強度でケース本体部１１に取り付けられている。
【００４７】
図５は、本実施形態の剥離装置を用いたスクラッチ層の剥離方法を説明する図である。
【００４８】
先ず、図１乃至図４で説明したように、スライダ６１をケース本体部１１から取り外した状態で、ストッカ４４内にスクラッチ層を下に向けた状態で複数枚（１５〜２０枚）のスクラッチカード３を収容する。尚、粘着テープ２は既に取り付けられた状態とする。
【００４９】
次に、スライダ６１をケース本体部１１に装着し、分離された後端部１１ａをケース本体部１１に固定する。
【００５０】
次に、把持部６４に手を掛けて往路溝４３ａに沿ってスライダ６１を後端から前端に向けて前進させる。
【００５１】
この一連の作業により、ストッカ４４からスクラッチカード３が１枚ずつ案内板１９上に送り出され、図５に示すように、案内板１９上で押圧ローラ６８がスクラッチカード３のスクラッチ層４を粘着シール２の粘着面２ａ上に押し付けながら前進し、このスクラッチカード３の前進と同期してギア２３，３３，４１，４２により粘着テープ２も送り出され、スクラッチ層４のみを粘着面２ａに貼り付けてスクラッチカード３から剥離した後、使用済みの粘着テープ２を巻取リール３１で巻き取りつつ、剥離済みのスクラッチカード３を前方に排出する。
【００５２】
その後、スライダ６１を往路４３ａの前端で復路４３ｂに切り換えることにより、押圧ローラ６８による押圧を解くと共に、ラックギア６６と駆動ギア４２との噛み合いを解くようにケース本体部１１の上方に離間させた状態となり、この状態で復路４３ｂに沿ってスライダ６１を後進させて初期位置に戻す。
【００５３】
そして、スライダ６１を復路４３ｂの後端まで後進させたら、再び往路４３に切り換えて前進させる。
【００５４】
上記動作を繰返し行うことにより、ストッカ４４に収容されたスクラッチカード３を１枚ずつ案内板１９上に送り出し、それに同期して粘着テープ２を同じ方向に送ってスクラッチカード３からスクラッチ層４を剥離した後に巻き取る作業を連続して行うことができる。
【００５５】
上述したように、本実施形態によれば、スクラッチ層の剥離作業を連続して実行でき、しかも、片手で操作できるほど小型、軽量なので、一度に大量のスクラッチ層を剥離する場合のみならず、カード購入者によりランダムに１枚ごとに剥離する場合に適したものとなる。
【００５６】
【発明の効果】
以上説明したように、本発明によれば、大量の剥離作業を連続して容易に行え、片手で操作できるほど小型且つ軽量化できるという効果がある。
【図面の簡単な説明】
【図１】本発明に係る実施形態の剥離装置の外観斜視図である。
【図２】図１の正面図である。
【図３】図１の側面図である。
【図４】図１の上面図である。
【図５】本実施形態の携帯型剥離装置を用いたスクラッチ層の剥離方法を説明する図である。
【符号の説明】
１　剥離装置
２　粘着テープ
３　スクラッチカード
４　スクラッチ層（隠蔽部）
１０　ハウジング
１１　ケース本体部
１２　底面部
１３　側面部
１４　端面部
１５　側壁部
１６　前端開口部
１７　後端開口部
１８　上端開口部
１９　案内板
２０　案内路
２１　供給リール
２２　供給リール軸
２３　供給リール駆動ギア
２４，２５　つば部材
３１　巻取リール
３２　巻取リール軸
３３　巻取リール駆動ギア
４１　カウンタギア
４２　駆動ギア
４３　案内溝
４３ａ　往路溝
４３ｂ　復路溝
４４　ストッカ
４５　ケース部
４６　圧縮コイルばね
４７　固定具
４８　取付ブラケット
６１　スライダ
６２　スライダ本体
６３　上面部
６４　把持部
６５　スカート部
６６　ラックギア
６７　突起
６８　押圧ローラ
６８ａ　ローラ軸
【図１】
2004059182.tif 000003
【図２】
2004059182.tif 000004
【図３】
2004059182.tif 000005
【図４】
2004059182.tif 000006
【図５】
2004059182.tif 000007